(57)【要約】【課題】節水を図ることができ、ミラー表面に傷を付けずに洗浄を行うことができる太陽熱発電用反射装置の洗浄方法を実現する。【解決手段】太陽光を反射して集光するためのフィルムミラー１０を備える太陽熱発電用反射装置２０を洗浄する際、太陽熱発電用反射装置２０の反射面（フィルムミラー１０の表面）に洗浄水としてナノバブル水を吹き付けることによって、その反射面の汚れを除去するようにした。【選択図】図１
2013139958.tif 000002
【特許請求の範囲】
【請求項１】
太陽光を反射して集光するための反射ミラーを備える太陽熱発電用反射装置の洗浄方法であって、
前記反射ミラーの表面にナノバブルを含む水を吹き付けて、その表面を洗浄することを特徴とする太陽熱発電用反射装置の洗浄方法。
【請求項２】
前記反射ミラーは、樹脂製の基材上に反射層が形成されているフィルムミラーであることを特徴とする請求項１に記載の太陽熱発電用反射装置の洗浄方法。
【請求項３】
前記ナノバブルを含む水は、マイナスの電位を帯びていることを特徴とする請求項１又は２に記載の太陽熱発電用反射装置の洗浄方法。
【請求項４】
所定の操作入力がなされたこと、或いは予め設定されている所定のタイミングになったことに応じて、前記反射ミラーの表面全面にナノバブルを含む水を吹き付けて、自動洗浄を行うことを特徴とする請求項１〜３の何れか一項に記載の太陽熱発電用反射装置の洗浄方法。
【請求項５】
太陽光を反射して集光するための複数の反射ミラーと、
前記反射ミラーの表面を洗浄する洗浄装置と、を有する太陽熱発電システムであって、
前記洗浄装置は、前記反射ミラーの表面にナノバブルを含む水を吹き付けて、その表面を洗浄することを特徴とする太陽熱発電システム。
【請求項６】
太陽熱発電システムで用いられる、太陽光を反射して集光するための反射ミラーを洗浄するための太陽熱発電システム用洗浄装置であって、
前記反射ミラーの表面にナノバブルを含む水を吹き付けて、その表面を洗浄することを特徴とする太陽熱発電システム用洗浄装置。
【発明の詳細な説明】
【技術分野】
【０００１】
本発明は、太陽熱発電用反射装置の洗浄方法、太陽熱発電システム及び太陽熱発電システム用洗浄装置に関する。
【背景技術】
【０００２】
近年、石油、天然ガス等の化石燃料エネルギーの代替エネルギーとして、自然エネルギーの利用が検討されている。その中でも化石燃料の代替エネルギーとして最も安定しており、エネルギー量の多い太陽エネルギーが注目されている。しかしながら、太陽エネルギーは非常に有力な代替エネルギーであるものの、これを活用する観点からは、（１）太陽エネルギーのエネルギー密度が低いこと、（２）太陽エネルギーの貯蔵及び移送が困難であること等が問題となると考えられる。
【０００３】
現在では、太陽エネルギーを利用する技術として太陽電池の研究・開発が盛んに行われており、太陽光の利用効率も上昇してきているが、未だ十分な回収効率に達していないのが現状である。
太陽光をエネルギーに変換する別方式として、太陽光を反射鏡によって反射し集光して得られた熱を媒体として発電する太陽熱発電が注目されている。この方式を用いれば昼夜を問わず発電が可能である上、長期的視野でみれば発電効率は太陽電池より高いと考えられるため、太陽光を有効に利用できると考えられる。
【０００４】
こうした反射鏡（反射装置）を用いる太陽熱発電施設は砂漠地帯に建設されることが多く、効率的に太陽光を集光するために反射鏡は屋外に設置されている。その一方で屋外に設置された反射鏡のミラー表面には砂塵が付着しやすく、砂塵由来の汚れによる反射率の低下が発電効率を悪化させてしまうことがある。
特に、砂漠での砂塵汚れは通常の汚れとは異なり、強固な砂の膜を形成してミラー表面に固着してしまうことが分かった。これは砂塵がミラー表面に降り積もり、さらに昼夜の温度差が大きいことから発生する結露がミラー表面に付着することで、結露に溶け込んだ砂塵含有物質（例えばＮａＣｌ，ＣａＣＯ３，ＳｉＯ２等）や、大気中の汚染物質（例えばＳＯＸ等）などが反応して不溶性の塩を生成するとともに、その後、水が蒸発して塩および砂粒子同士が凝集することで、引締まった砂の膜を形成したためと考えられる。
このような反射率の低下をまねき、発電効率を悪化させてしまう砂塵汚れは、反射鏡を用いた太陽熱発電を行う上で大きな問題として認識されている。
【０００５】
そのため、反射鏡のミラー表面を定期的に洗浄する必要があるが、太陽熱発電施設には広大な敷地に数千枚もの膨大な数の反射鏡が設置されているため、その洗浄作業は労力や時間を要する大変な作業であった。
そこで、洗浄作業効率を改善するために、太陽熱発電用の反射鏡の表面を自動的に洗浄することを可能にした清掃ロボットシステムに関する技術が提案されている（例えば、特許文献１参照。）。
【先行技術文献】
【特許文献】
【０００６】
【特許文献１】特許第４４７７６８５号公報
【発明の概要】
【発明が解決しようとする課題】
【０００７】
しかしながら、上記特許文献１の場合、水等の噴射に加えて回転ブラシでミラー表面を擦ることで、通常の汚れであれば洗浄できるとしても、反射鏡のミラー表面に強固に付着した特異な砂塵汚れを落とすための対策が取られていない。そのため、砂塵汚れを洗浄するために、大量の水を使用したり、界面活性剤などを含んだ洗浄液を使用したりしなければならないことがある。また、回転ブラシを使用して強く擦らねばならないことがある。
そのような洗浄によって、砂漠では貴重な水を大量に使用すると洗浄コストが増大してしまう恐れがあり、また、反射鏡が設置されている砂漠には排水設備がないために洗浄液が垂れ流されてしまうと、環境破壊を引き起こしてしまう恐れがあった。
また近時、軽量で割れないことからガラス製ミラーの代替として利用されている、樹脂製のフィルム基材に反射層が形成されたフィルムミラーを用いた反射鏡（反射装置）を洗浄する場合、回転ブラシでミラー表面に傷を付けてしまい、反射率を低下させてしまう恐れがあった。
【０００８】
本発明の目的は、節水を図ることができ、ミラー表面に傷を付けずに洗浄を行うことができる太陽熱発電用反射装置の洗浄方法及びその洗浄方法を利用する太陽熱発電システムと太陽熱発電システム用洗浄装置を提供することである。
【課題を解決するための手段】
【０００９】
以上の課題を解決するため、請求項１に記載の発明は、
太陽光を反射して集光するための反射ミラーを備える太陽熱発電用反射装置の洗浄方法であって、
前記反射ミラーの表面にナノバブルを含む水を吹き付けて、その表面を洗浄することを特徴とする。
【００１０】
請求項２に記載の発明は、請求項１に記載の太陽熱発電用反射装置の洗浄方法において、
前記反射ミラーは、樹脂製の基材上に反射層が形成されているフィルムミラーであることを特徴とする。
【００１１】
請求項３に記載の発明は、請求項１又は２に記載の太陽熱発電用反射装置の洗浄方法において、
前記ナノバブルを含む水は、マイナスの電位を帯びていることを特徴とする。
【００１２】
請求項４に記載の発明は、請求項１〜３の何れか一項に記載の太陽熱発電用反射装置の洗浄方法において、
所定の操作入力がなされたこと、或いは予め設定されている所定のタイミングになったことに応じて、前記反射ミラーの表面全面にナノバブルを含む水を吹き付けて、自動洗浄を行うことを特徴とする。
【００１３】
請求項５に記載の発明は、
太陽光を反射して集光するための複数の反射ミラーと、
前記反射ミラーの表面を洗浄する洗浄装置と、を有する太陽熱発電システムであって、
前記洗浄装置は、前記反射ミラーの表面にナノバブルを含む水を吹き付けて、その表面を洗浄することを特徴とする。
【００１４】
請求項６に記載の発明は、
太陽熱発電システムで用いられる、太陽光を反射して集光するための反射ミラーを洗浄するための太陽熱発電システム用洗浄装置であって、
前記反射ミラーの表面にナノバブルを含む水を吹き付けて、その表面を洗浄することを特徴とする。
【発明の効果】
【００１５】
本発明によれば、ナノバブル水を太陽熱発電用反射装置のミラー表面に吹き付ける手法を実現し、節水を図ってミラー表面に傷を付けずに洗浄を行うことが可能になる。また、界面活性剤などを用いることなく洗浄効果を向上でき、環境に悪影響を及ぼすことを防止できる。
【図面の簡単な説明】
【００１６】
【図１】太陽熱発電用反射装置に用いるフィルムミラーの一例を示す断面図である。
【図２】太陽熱発電用反射装置を用いた太陽熱発電システムを示す斜視図である。
【図３】太陽熱発電用反射装置を用いた太陽熱発電システムを側方から見た説明図である。
【図４】ナノバブル水を生成する装置の概略を示す説明図である。
【発明を実施するための形態】
【００１７】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
【００１８】
（フィルムミラー・反射装置）
まず、太陽熱発電用反射装置に用いる反射ミラーであるフィルムミラーについて説明する。
フィルムミラー１０は、例えば、図１に示すように、樹脂製の基材１上に形成された反射層２と、その反射層２を覆うハードコート層３を備えている。
【００１９】
基材１には、従来公知の種々の樹脂フィルムを用いることができ、特にポリエステル系フィルム、アクリルフィルムを好ましく用いることができる。
反射層２は、太陽光を反射する機能を有する金属等からなる層である。反射層２の表面反射率は、好ましくは８０％以上、より好ましくは９０％以上である。反射層２は、Ａｌ、Ａｇ、Ｃｒ、Ｃｕ、Ｎｉ、Ｔｉ、Ｍｇ、Ｒｈ、Ｐｔ及びＡｕからなる元素群の中から選ばれるいずれかの元素を含む材料により形成されることが好ましい。中でも、反射率、耐食性の観点からＡｌまたはＡｇを主成分としていることが好ましく、特に銀を主成分とする銀反射層とすることが好ましい。
ハードコート層３は、フィルムミラー１０の最表面に設けられており、反射層２を保護する機能を有している。また、ハードコート層３は、樹脂材料からなり、特にポリオルガノシロキサン系の樹脂材料からなる防汚性を有するハードコートであることが好ましい。  また、基材１と反射層２の間や、反射層２とハードコート層３の間には、周知の腐食防止層や紫外線吸収層などを備えるようにしてもよい。
【００２０】
このフィルムミラー１０を、例えば、図１に示すように、粘着層４を介して支持基板５に貼り付けることで、太陽熱発電用反射装置２０を形成することができる。
粘着層４としては、特に制限されず、例えば、ドライラミネート剤、ウエットラミネート剤、粘着剤、ヒートシール剤、ホットメルト剤等を用いることができる。
支持基板５は、フィルムミラー１０の反射面を所定の曲面状あるいは平面状に保持して支持する板状部材であり、鋼板、銅板、アルミニウム板、アルミニウムめっき鋼板、アルミニウム系合金めっき鋼板、銅めっき鋼板、錫めっき鋼板、クロムめっき鋼板、ステンレス鋼板など熱伝導率の高い金属材料、また樹脂と金属板を組み合わせた鋼板等を用いることができる。
【００２１】
このようなフィルムミラー１０や、フィルムミラー１０を備える太陽熱発電用反射装置２０は、太陽熱発電システムにおいて太陽光を反射して集光する反射鏡として用いられる。
【００２２】
（太陽熱発電システム）
次に、太陽熱発電用反射装置２０を用いた太陽熱発電システムについて説明する。
図２は、太陽熱発電システムを示す斜視図（鳥瞰図）である。図３は、その太陽熱発電システムを側方から見た説明図である。
ここでは、ビームダウン式の太陽熱発電システムを例に説明するが、タワートップ式の太陽熱発電システムや、トラフ式の太陽熱発電システムであってもよい。
【００２３】
図２、図３に示す太陽熱発電システムは、比較的大径の集光鏡１１と、集光鏡１１を支持する支持タワー１２と、集光鏡１１の下方に位置する集熱部１４と、集熱部１４を有する熱交換施設１３と、支持タワー１２の周囲に設けられた多数のヘリオスタット１５を備えている。この太陽熱発電システムは、砂漠に建設されている。
【００２４】
集光鏡１１は、複数枚のミラーが楕円面または楕円面を基調とした自由曲面に沿って組み付けられてなり、３本の支持タワー１２により所定の高さ位置に反射面を下向きにして設置されている。この集光鏡１１のミラーに太陽熱発電用反射装置２０を用いてもよい。
【００２５】
ヘリオスタット１５は、支持タワー１２の周囲を取り囲んだ状態で、地上に設けられている。このヘリオスタット１５は、地面に植設された柱部２１と、柱部２１の上端に取り付けられた太陽熱発電用反射装置２０とを有している。そして、柱部２１は、不図示のアクチュエーターによって軸線回りに回動可能とされており、且つ太陽熱発電用反射装置２０は、不図示のアクチュエーターによって柱部２１に対して仰角を変更可能とされており、ヘリオスタット１５は、常に太陽光Ｌを集光鏡１１の反射面に向けて反射させるようになっている。
そして、図３に示すように、ヘリオスタット１５（太陽熱発電用反射装置２０）が集光鏡１１に向けて集光するように反射した太陽光Ｌは、集光鏡１１によって下方に反射されて、集熱部１４に集光される。なお、集光鏡１１には、最大入射放射照度５ｋＷ／ｍ２以上の光が入射するようになっている。
【００２６】
熱交換施設１３は、太陽光Ｌを熱エネルギーに変換し、その熱エネルギーを利用して発電を行う設備を備えている。例えば、熱交換施設１３は、蒸気タービンを備えており、集熱部１４に集光された太陽光の熱でオイルなどの媒体を加熱し、その熱を利用して発生させた水蒸気によってタービンを回転させて、発電を行う。
【００２７】
（太陽熱発電用反射装置の洗浄）
次に、太陽熱発電システムに用いられている太陽熱発電用反射装置２０の洗浄方法について説明する。
上述したように、ヘリオスタット１５は、砂漠の地面に設けられており、屋外環境に晒されているヘリオスタット１５の太陽熱発電用反射装置２０には、砂塵汚れが付着してしまうので、太陽熱発電用反射装置２０の反射率を良好に維持するために、太陽熱発電用反射装置２０の反射面を適切に洗浄する必要がある。
本発明では、太陽熱発電用反射装置２０の反射面、つまりフィルムミラー１０の表面にナノバブルを含む水（ナノバブル水）を吹き付けて、その表面の汚れを除去する洗浄を行う。
【００２８】
（ナノバブルを含む水・ナノバブル水）
水などの液体中に含まれる直径１μｍ以下の微細な気泡をナノバブルといい、このナノバブルを含む水をナノバブル水という。
このナノバブル水が、界面活性作用を有していることから、工業製品の洗浄や廃水処理への利用を検討する産業分野や、医療分野など様々な分野で注目される中、本発明者は、太陽熱発電用反射装置２０の反射面に強固に付着した砂塵汚れを脱落させる効果をナノバブル水に見出したことで、本発明を完成するに至った。
【００２９】
なお、１００ｎｍ（０．１μｍ）以下の気泡をナノバブルとし、１００ｎｍ〜１０μｍの気泡をマイクロナノバブル、１０〜数１０μｍの気泡をマイクロバブルと区別することもあるが、直径１μｍ以下の気泡を含む水を生成した場合に、１００ｎｍ（０．１μｍ）以下の気泡も、１００ｎｍ〜１０μｍの気泡も混在しており、その気泡サイズを厳密に作り分けることは困難であると思われる。
ここでは、直径１μｍ以下の気泡をナノバブルと定義し、微細気泡を含む水のうち、少なくとも直径１μｍ以下の気泡を含む水をナノバブル水とする。
【００３０】
ナノバブル水を生成する方法としては、気体と液体を高速旋回させた際のせん断力により微細気泡を発生させる旋回流方式、衝撃波やキャビテーションによる圧壊などにより微細気泡を発生させる超音波生成方式、液中に圧縮した気体を一気に解放させることにより微細気泡を発生させる加圧溶解方式、液中のポーラスやオリフィスなどに圧力をかけた気体を通すことにより微細気泡を発生させる微細孔方式などがある。
こうして生成されたナノバブル水は、生成３ヵ月後においても発生したナノバブルの８０％が残存していることが確認されている。
なお、ナノバブル水の生成方式によって、液中に含まれる気泡サイズやそのサイズ分布が異なるため、ナノバブル水の物性（界面活性作用）に差が生じることもある。
【００３１】
図４に、旋回流方式によるナノバブル水の生成装置を示す。
この装置は遠心分離応用機器であり、例えば、図４に示すように、装置のＩＮ側から、使用する気体、前工程で発生させたマイクロバブル（ＭＢ）、使用する液体（水）を、規定の流速で装置内に送ることで遠心力の働きから比重の差により三層に分かれて旋回する。この旋回時にマイクロバブルがせん断され、直径１μｍ以下のナノバブルが発生し、ナノバブル水が生成される。また旋回時に「はがれ」現象が起き、摩擦による電荷（ゼータ電位）が発生することで、マイナスの電位を帯びたナノバブル水が生成される。
このマイナスの電位を帯びたナノバブル水は、太陽熱発電用反射装置２０の反射面に強固に付着した砂塵汚れを脱落させることに、特に優れている。
【００３２】
（洗浄方法）
次に、太陽熱発電用反射装置２０の反射面（フィルムミラー１０の表面）にナノバブル水を吹き付けて、その反射面の汚れを除去する具体的な手法について説明する。
【００３３】
図２に示したような太陽熱発電システムでは、砂漠の広大な敷地に設けられた膨大な数のヘリオスタット１５の太陽熱発電用反射装置２０の洗浄を行う必要があるので、例えば、ナノバブル水が注水されたタンクを積んだ洗浄車や、ナノバブル水の生成装置を積んだ洗浄車を各ヘリオスタット１５の近くまで走行させる。そして、ヘリオスタット１５毎に太陽熱発電用反射装置２０の表面に向けて、ナノバブル水を高圧放水するなど吹き付けて、太陽熱発電用反射装置２０の反射面の汚れを除去する洗浄を行う。なお、ヘリオスタット１５の配列に沿って洗浄車で走行しながら、ヘリオスタット１５の太陽熱発電用反射装置２０の表面全面にナノバブル水を吹き付けて洗浄を行ってもよい。
また、太陽熱発電用反射装置２０の細部や汚れの酷い箇所などを洗浄する場合には、洗浄車から降りた作業者が高圧洗浄器を使い、ピンポイントな箇所に向けてナノバブル水を吹き付けて洗浄を行うようにすればよい。
【００３４】
太陽熱発電用反射装置２０の洗浄作業をより簡便に行うには、自動化することが好ましい。即ち、複数の反射ミラーを有する太陽熱発電システムが洗浄装置を有することが好ましい。
例えば、ヘリオスタット１５の太陽熱発電用反射装置２０を自動洗浄する場合、太陽熱発電用反射装置２０の枠や縁、特に上縁側に、太陽熱発電用反射装置２０の反射面に向けてナノバブル水を吹き付ける放水ノズルを配設するようにすればよい。なお、太陽熱発電用反射装置２０の表面全面にナノバブル水を吹き付けることが可能であれば、放水ノズルの数や形状は任意である。
そして、各ヘリオスタット１５の太陽熱発電用反射装置２０に所定の放水ノズルを設置し、全ての放水ノズルに配管を繋いで給水ポンプなどを利用してナノバブル水を供給するようにすれば、洗浄車で移動することなく、全ての太陽熱発電用反射装置２０の反射面にナノバブル水を吹き付けることができ、太陽熱発電用反射装置２０を自動的に洗浄することが可能になる。
また、放水ノズルや、放水ノズルが取り付けられた支持体を、所定のアクチュエーターによって移動させて、太陽熱発電用反射装置２０の表面の隅々まで良好にナノバブル水を吹き付けたり、洗浄を集中的に行いたい反射面中央などにピンポイントでナノバブル水を吹き付けたりしてもよい。
【００３５】
また、太陽熱発電用反射装置２０を自動洗浄する場合、例えば、自走式のロボットシステムを導入してもよい。
自走式のロボットシステムとしては、前述した洗浄車を無人で自動走行させる洗浄システムが挙げられる。
他の自走式ロボットシステムとしては、太陽熱発電用反射装置２０の表面を隈なく移動しながらナノバブル水を噴射する放水ロボットと、その放水ロボットを隣接するヘリオスタット１５の太陽熱発電用反射装置２０に移送したり、放水ロボットにナノバブル水を供給したりする機能を有する支援ロボットとからなる洗浄システムが挙げられる。なお、放水ロボットは、ブラシレスであることは勿論のこと、太陽熱発電用反射装置２０の表面に走行跡をつけないようにナノバブル水を噴射することが可能になっている。
【００３６】
なお、太陽熱発電用反射装置２０を自動洗浄する場合、太陽熱発電システムの管理者が洗浄を実行するための所定の操作入力を行ったことや、予め設定されている所定のタイミング（例えば、２週間、１ヶ月など）になったことに応じて、放水ノズルからナノバブル水を噴射したり、自走式ロボットシステムによる洗浄システムを作動させたりするようにすればよい。
【００３７】
以上のように、本発明に係る太陽熱発電用反射装置の洗浄方法によれば、太陽熱発電用反射装置２０の反射面（フィルムミラー１０の表面）に洗浄水としてナノバブル水を吹き付けることによって、その反射面の汚れを除去することができる。
特に、本発明の洗浄方法に用いるナノバブル水は、界面活性作用を有しており、砂塵汚れを好適に落とすことができるので、イオン交換水を使った洗浄に比べて、水の使用量を大幅に減少させることができる。例えば、水の使用量を１００分の１に節水することが可能になる。
また、ナノバブル水が界面活性作用を有しているため、界面活性剤を使用する必要がなく、太陽熱発電システムのある砂漠などに、洗浄に使用した界面活性剤を垂れ流してしまうような環境破壊を起こすようなことはない。
また、洗浄水に界面活性剤を使用しないことで、洗浄後の太陽熱発電用反射装置２０の反射面に界面活性剤が残留した輪染みが生じず、輪染みによる反射率の低下を起こすことはない。なお、洗浄水とするナノバブル水は、塩素などを含有する水道水ではなく、含有物が極めて少ないイオン交換水などを用いて生成したものであることが、輪染みを低減する上でより好ましい。
【００３８】
また、本発明の洗浄方法は、太陽熱発電用反射装置２０の反射面（ミラー表面）にナノバブル水を吹き付けるブラシレスの洗浄であるので、太陽熱発電用反射装置２０の反射面のフィルムミラー１０を洗浄によって傷付けてしまうことがない。つまり、本発明の洗浄方法によれば、太陽熱発電用反射装置２０の反射面に傷を付けて、反射率を低下させてしまうことがない。特にブラシレスの洗浄は、フィルムミラー１０の最表面（ハードコート層３表面）から反射層２までの厚さが例えば１００μｍ以下であり、僅かな傷でも反射層２を損傷してしまう可能性があるような場合に、好ましい洗浄方法であるといえる。
【００３９】
このように、本発明に係る太陽熱発電用反射装置の洗浄方法は、節水を図るとともに、ミラー表面に傷を付けずに洗浄を行うことができる、優れた技術であるといえる。
【００４０】
なお、本発明の適用は上述した実施形態に限定されることなく、本発明の趣旨を逸脱しない範囲で適宜変更可能である。
【符号の説明】
【００４１】
１      基材
２      反射層
３      ハードコート層
４      粘着層
５      支持基板
１０    フィルムミラー（反射ミラー）
２０    太陽熱発電用反射装置
１１    集光鏡
１２    支持タワー
１３    熱交換施設
１４    集熱部
１５    ヘリオスタット
２１    柱部
【図１】
2013139958.tif 000003
【図２】
2013139958.tif 000004
【図３】
2013139958.tif 000005
【図４】
2013139958.tif 000006